(57)【要約】      （修正有）【課題】簡単な構造からなる連続するバケットを用いて被搬送物を搬送する改良されたバケット式搬送装置を提供する。【解決手段】バケット３０が、左右一対のサイドプレート３３と、該一対のサイドプレート３３の中間位置の上方に横架されてサイドプレート３３を固定するエッジ部材３２とを有し、前後に連続するバケット３０の相対的に後方のバケット３０のエッジ部材３２の表面側に可撓性シートの一端を固定し、Ｕ字状に湾曲させた他方の先端を前方のバケット３０のエッジ部材３２の裏面側に固定して後方のバケット３０の可撓性収納部３１にしてなる。【選択図】図２
2020196580.tif 000002
【特許請求の範囲】
【請求項１】
左右一対の無端チェーンに両端が支持された連続するバケットを搬送路に沿って搬送するバケットコンベヤにおいて、
前記バケットが、左右一対のサイドプレートと、該一対のサイドプレートの中間位置の上方に横架されてサイドプレートを固定するエッジ部材とを有し、前後に連続するバケットの相対的に後方のバケットのエッジ部材の表面側に可撓性シートの一端を固定し、Ｕ字状に湾曲させた他方の先端を前方のバケットのエッジ部材の裏面側に固定して後方のバケットの可撓性収納部にしてなることを特徴とするバケット式搬送装置。
【請求項２】
無端チェーンが、２リンク構成からなっており、２リンクの一方のリンクをバケットの側板に固定してなることを特徴とする請求項１に記載のバケット式搬送装置。
【請求項３】
無端チェーンを駆動するスプロケットが排出口近傍に設けられており、該スプロケットの回転軸に外周方向に等間隔で放射状に５つの押し棒が突出しており、該押し棒の先端がバケットの可撓性収納部の底部を裏面から押し出しうることを特徴とする請求項１または２に記載のバケット式搬送装置。
【発明の詳細な説明】
【技術分野】
【０００１】
本発明は、連続するバケットを用いて被搬送物を搬送するバケット式搬送装置の改良に関する。
【背景技術】
【０００２】
従来から、粉粒体等の被搬送物を無端チェーンに支持されたバケットに収容して搬送するバケット式搬送装置として例えば特許文献１に記載の特開２０１２−２４０８３２号のバケットコンベヤや、特開２０１７−６１３７８号のバケット式搬送装置が知られている。
前者では、左右一対の無端チェーンに両端支持された多数のバケットで粉粒体状の搬送物を収容搬送して前記無端チェーンを上側水平移動域から下側移動域へ折り返しながら周回させてバケットの上下姿勢を反転させる排出口側スプロケットの下方位置に設けた排出口から反転されたバケット内の搬送物を落下搬出するバケットコンベヤにおいて、前記バケットが、前記粉粒体状の搬送物を収容する可撓性シートからなる収容底部を有しているとともに、前記バケットの収容底部を開口部側へ押し上げ搬送物を突き落として排出する突き落し手段が、前記排出口側スプロケットを軸支するスプロケット回転軸に設けられていることを特徴としている。
しかし、上記構成では、バケットの上端と下端に横架された一対のクロス部材の間に可撓性シートをＵ字状に湾曲させて取り付けて可撓底部としているので、バケット毎の可撓性シートが独立しており、前後に隣接するバケット間で可撓性シートが連動して変形することがなく、前後に連続する可撓底部間に隙間が生じて搬送物が落下するおそれがある。
また、１つのバケットに１つのリンクが固定されるので、バケットの容量を大きくするとチェーンも大型化してしまうという問題があった。
【０００３】
後者では、無端状の循環経路を周回移動可能に設けられた無端チェーンと、前記無端チェーンに支持される複数のバケットとを備え、
前記バケットは、左右一対の前記無端チェーンに固定される左右一対の側板と、前記一対の側板に組み付けられた状態において前記一対の側板と協同して一面側が開口した収容凹部を形成する凹部形成部材とを有し、
前記側板は、前記収容凹部の開口を上向きにした姿勢で前記バケットが水平方向に搬送される水平搬送時に前記凹部形成部材において前記収容凹部の底壁になる部分が前記循環経路の内周側を常に移動するように、前記無端チェーンに対して固定され、
前記凹部形成部材は、前記水平搬送時に前記収容凹部の前側壁になる部分に、その上端が前記収容凹部の開口の前端縁となる前上がり板部を有すると共に、前記水平搬送時に前記収容凹部の後側壁になる部分に、前記前上がり板部の上端よりも上方に位置する後ろ下がり板部を有し、
前後方向で隣り合う各バケットは、そのバケットにおける前記前上がり板部の上端を、そのバケットの前方で隣り合う他のバケットにおける前記後ろ下がり板部の下側領域へ潜り込ませた状態で、前記無端チェーンに支持されていることを特徴としている。
しかし上記構成では、バケットの底部に可撓性がなく、変形ができないので、構造が複雑になるという問題点があった。
【先行技術文献】
【特許文献】
【０００４】
【特許文献１】特開２０１２−２４０８３２号公報
【特許文献２】特開２０１７−６１３７８号公報
【発明の概要】
【発明が解決しようとする課題】
【０００５】
この発明が解決しようとする問題点は、バケットの収納部に可撓性シートを用いると共に、バケットの左右のサイドプレート間を１枚のエッジ部材を掛け渡して固定し、前後に隣接するバケットのそれぞれのエッジ部材の一方の表面側に可撓性シートの一端側を固定し、他端側を前方のバケットのエッジ部材の裏面側に固定して可撓性収納部とすることで、簡単な構造で連続するバケットのコンベアを提供することができる。
【課題を解決するための手段】
【０００６】
本発明は、上記課題を解決するために、
左右一対の無端チェーンに両端が支持された連続するバケットを搬送路に沿って搬送するバケットコンベヤにおいて、
前記バケットが、左右一対のサイドプレートと、該一対のサイドプレートの中間位置の上方に横架されてサイドプレートを固定するエッジ部材とを有し、前後に連続するバケットの相対的に後方のバケットのエッジ部材の表面側に可撓性シートの一端を固定し、Ｕ字状に湾曲させた他方の先端を前方のバケットのエッジ部材の裏面側に固定して後方のバケットの可撓性収納部にしてなることを特徴とする。
前記無端チェーンは、２リンク構成からなっており、２リンクの一方のリンクをバケットの側板に固定してなることを特徴とする。
【発明の効果】
【０００７】
本発明は、サイドプレートとエッジ部材と可撓性シートだけでバケットを構成することができ、可撓性シートで形成される可撓性収納部は、隣接するバケット間の変位に応じて自在に変形することができ、バケットへの負荷がかからず、連続するバケットの間隔を狭めながら搬送物の収納量を増やすことができる。
また無端チェーンは、２リンクを１ユニットとして、その一方はバケットに固定されるので、スプロケットによる回転半径を狭めることができ、軽量化を図ることができる。
【図面の簡単な説明】
【０００８】
【図１】実施例１のバケットコンベヤの全体概略図である。
【図２】バケットとチェーンとを示す斜視図である。
【図３】駆動スプロケットの回転軸に放射状・等間隔に５つの押し棒を設けた側面から見た説明図である。
【図４】（ａ）から（ｅ）は５つの押し棒の配列を横幅方向にそれぞれ異なる配置とし、補助的に重りを押し棒と同列で横幅方向に位置が重ならないように設けた説明図である。
【図５】搬送方向が水平な場合のバケットの側面から見た説明図である。
【図６】搬送方向が反転する場合のバケットの側面から見た説明図である。
【図７】搬送方向が略直角に変位する場合のバケットの側面から見た説明図である。
【図８】搬送方向が垂直な場合のバケットの側面から見た説明図である。
【図９】バケットの側面から見た説明図である。
【発明を実施するための形態】
【０００９】
以下にこの発明のバケット式搬送装置を、連続するバケットコンベアに適用した好適実施例について、図面を参照しながら説明する。
【実施例１】
【００１０】
実施例１のバケットコンベヤ１は、図１に示すように、コンベヤケース１０の投入口１１から投入された沈砂・し渣などの搬送物Ｍを左右一対の無端チェーン２０に両端が固定された連続する多数のバケット３０に順次収容される。
その後、これらのバケット３０に収容された搬送物Ｍをコンベヤケース１０の排出口１２に向けて水平方向から垂直方向に搬送し、さらに、垂直方向から水平方向に方向転換して排出口側のスプロケット４１により無端チェーン２０を上側水平コースから下側垂直コースへ折り返しながら周回させると同時にバケット３０の上下姿勢を反転させる。
そして、バケット３０内の搬送物Ｍを排出口１２から落下排出させる構成であって、投入口１１と排出口１２とに高低差を設けた高揚程型の搬送ラインとして設置された公知構成からなっている。
【００１１】
前記投入口１１は、一般に水平に設置されるが、この発明では傾斜していてもよい（図示せず）。
投入された搬送物は、バケット３０のサイドプレート３３と後述の中仕切板となるエッジ部材３２にて区画された部分に貯留され、搬送される。
投入口１１でバケット３０に投入された搬送物は、搬送路の垂直部分で図８に示すように搬送され、前記中仕切板により、垂直搬送路では最大搬送量を確保することができる。
【００１２】
前記無端チェーン２０は、バケット３０の左右外方に固定される左右一対の無端チェーンからなっている（図２参照）。
駆動源となる搬出口側スプロケット４１が駆動スプロケットとなり、投入口１１側に設けられたスプロケット４２が従動スプロケットとなって掛け渡されており、中途位置で、無端チェーン２０を水平方向から垂直方向に方向転換させ、または、垂直方向から水平方向に方向転換させる中継用の従動スプロケット４３が複数設けられている。
【００１３】
前記無端チェーン２０は、図２に示すようにチェーンの２リンクＬ１、Ｌ２に１つのバケット３０を設置している。
これは従来のように、１リンクに１バケットを固定する構成では、バケットを大きくするためにチェーンのピッチを大きくする必要があり、このためスプロケットホイールが大型化することになり、バケットコンベア１の高さも高くなる欠点があるが、これに対して本実施例の２リンクＬ１、Ｌ２構成では乗り継ぎ部を低くできるメリットがある。
【００１４】
前記バケット３０は、図２に示すように、左右一対のサイドプレート３３と、該サイドプレート３３間をつなぐエッジ部材３２と、該エッジ部材３２に端部が固定され、搬送物Ｍを収容可能な弾性のゴムシートやエラストマーなどの可撓性シートからなる可撓性収納部３１とからなっている。
【００１５】
また、各サイドプレート３３の進行方向の前半部分（または後半部分でもよい）は段差３４に形成されており、前後に隣接するバケット３０のサイドプレートの一部が二重に重なって、一方または双方のバケットが変位してもバケット間に隙間が生じない形状となっている。
【００１６】
前記エッジ部材３２は、水平輸送時のサイドプレート３３の中央付近の上部に配置されて左右のサイドプレート３３を平行に繋ぐように固定されている。
更に、図示しないが全部または一部のエッジ部材３２の上端をサイドプレート３３の上端よりも長く（高く）突出させることで、前に搬送されたバケット３０からこぼれ落ちた搬送物を掬ってバケット３０内に収納させることもできる。
【００１７】
次に、バケット３０の可撓収納部３１の底部中央の可撓性を生かして、排出口１２において、バケット３０の可撓収納部３１の底部を裏面側から押すことで、可撓性収納部３１に収納された搬送物の付着を防いで落下しやすくすることができる。
連続バケットコンベヤでは、排出口１２において、ベルトコンベヤのようにクリーナーで掻き落すことができない。そこでバケット３０の底部の内面に付いた搬送物をバケット３０の底部から剥離してシュートへ落下させるため、バケットの裏側からビータークリーナーで叩いて引きはがすことが知られている。
【００１８】
そこで、バケット３０の可撓性収納部３１を裏から押す機構を設ければ底部を変形させることで、輸送物と底部との間に隙間を設け落下しやすくすることができる。
これはスプロケット４１の駆動軸４１ａに取り付けることができるので、従来のビータークリーナーのように別の回転機構を設ける必要がない。
【００１９】
本実施例では、押し棒５０ａ〜ｅを放射状に５つ突出させ、各押し棒の突出位置をそれぞれ幅方向にずらして配置することで、可撓性収納部３１の異なる位置を押し棒で突くことができる（図３参照）。
また、押し棒５０ａ〜ｅと共に、駆動軸４１ａに紐付きの重り５１ａ〜ｅを設けてもよい（図４参照）。
【００２０】
重り５１ａ〜ｅを可撓性収納部３１に落下させて、前記押し棒５０ａ〜ｅによる可撓性収納部３１を更に異なる位置でも変形させることができる。
このように、駆動軸に取り付ける押し棒や重りなどの位置を多数取り付け、一つのバケット３０の可撓性収納部３１に対し排出位置に来た時、押す位置を変化させることで、効率よく剥離させる機構を持たせることができる。
【００２１】
これにより、無端チェーン２０が駆動用のスプロケットホイール４１に掛かった時の屈曲時に、バケット３０の可撓性収納部３１の中間部の変形に無理な負荷がかからないように変形させることができる。
【００２２】
前記可撓性収納部３１は、前後に連続するバケット３０の前方のバケット（説明の便宜上３０’とする）のエッジ部材（同、３２’）の裏面に可撓性収納部３１となる可撓性シートの先端が固着され、後方のバケット３０のエッジ３２の前面に前記可撓性シートの後端が固着されている（図２、図５参照）。
【００２３】
また、前述した無端チェーン２０の１ユニットを構成するリンクＬ１、Ｌ２の前方のリンクＬ１がバケット３０の左右のサイドプレート３３に固定されたアングル状のブラケット３５毎に固定されている（図２参照）。
ここでリンクＬ１は一対の平行に延びる２枚のリンク部材からなり、リンクＬ２はリンクＬ１の中央に嵌合される１枚のリンク部材かからなって、枢軸Ｐによって枢着されており、前記リンクＬ１のバケット寄りのリンク部材には前記ブラケット３５に固定される固定片（図示省略）が突設した構成からなっている。
【００２４】
そして、バケット３０が無端チェーン２０を構成するリンクＬ１毎に配置されているとともに、押し棒５０ａ〜ｅが排出口側スプロケット４１の回転軸に放射状に５つ、７２度間隔に位置決め配置されていることにより、バケット３０内に残留しがちな搬送物Ｍを容易に突き落とすことができる。
この発明は上記実施例に限定されず、この発明の要旨を変更しない範囲で種々設計変更することができる。
【符号の説明】
【００２５】
１ ・・・  バケットコンベヤ
１０  ・・・  コンベヤケース
１１  ・・・  投入口
１２  ・・・  排出口
２０  ・・・  無端チェーン
３０  ・・・  バケット  
３１  ・・・  可撓収納部
３２  ・・・  エッジ部材
３３  ・・・  バケット側板
３４  ・・・  段差部
４１  ・・・  排出口側スプロケット
４１ａ・・・  排出口側スプロケットの駆動軸
４２  ・・・  投入口側スプロケット
４３  ・・・  中継のスプロケット
５０ａ〜ｅ  ・・・落し棒
５１ａ〜ｅ  ・・・重り
Ｍ  ・・・  搬送物
【図１】
2020196580.tif 000003
【図２】
2020196580.tif 000004
【図３】
2020196580.tif 000005
【図４】
2020196580.tif 000006
【図５】
2020196580.tif 000007
【図６】
2020196580.tif 000008
【図７】
2020196580.tif 000009
【図８】
2020196580.tif 000010
【図９】
2020196580.tif 000011